(57)【要約】【課題】ＬＥＤ光の集束、拡散および反射を効率よく行わせ、光学斑の除去、光の柔らかさ、省エネルギ化、高効率化等をより一層高める。【解決手段】筐体２の内部に設けた複数のＬＥＤ素子１９の発光を、第１レンズ２０により第１段階として拡散させた後、反射拡散部材１４によって第２段階の反射拡散を行わせ、光通路形成部材１５の中心軸上の１つの集束点Ｏにて集束させて光エネルギを十分に筐体２内に蓄えた後、さらに光通路形成部材１５内の空間を経て効率よく開口部３０から外部に放出させる。【選択図】  図１
2006019160.tif 000002
【特許請求の範囲】
【請求項１】
一側面に開口部を形成した筐体と、この筐体内の前記開口部周囲に設けられた複数のＬＥＤ素子と、この各ＬＥＤ素子から発する光を前記筐体の内方に向けて拡散させるレンズと、前記筐体の内方に設けられ、前記レンズを介して拡散した前記ＬＥＤ素子からの発光を反射および拡散させる湾曲板状の反射拡散部材と、この反射拡散部材の曲率中心付近から前記開口部まで連通する胴状の光通路形成部材とを備え、前記反射拡散部材の曲率を、反射拡散した光が前記光通路形成部材の中心軸上の１点に集束する設定とし、この１点に集束した光を前記光通路形成部材内の空間を経て前記筐体の開口部から外部に放出させる構成としたことを特徴とする照明装置。
【請求項２】
一側面に開口部を形成した筐体と、この筐体内の前記開口部に隣接する側面に互いに対向する配置で設けられた複数のＬＥＤ素子と、この各ＬＥＤ素子から発する光を拡散させるレンズと、前記筐体の内方に前記開口部と対向して設けられ、前記レンズを介して拡散した前記ＬＥＤ素子からの発光を反射および拡散させる反射拡散部材と、この反射拡散部材から前記開口部まで連通する胴状の光通路形成部材とを備え、前記各ＬＥＤ素子の配置を、互いに対向するもの同士から発する光が前記光通路形成部材の中心軸上の複数点に集束する設定とし、この各点に集束した光を前記光通路形成部材内の空間を経て前記筐体の開口部から外部に放出させる構成としたことを特徴とする照明装置。
【請求項３】
一側面に開口部を形成した筐体と、この筐体内の前記開口部に隣接する側面に設けられた複数のＬＥＤ素子と、この各ＬＥＤ素子から発する光を拡散させるレンズと、前記筐体の内方に前記開口部および前記各ＬＥＤ素子と対向して設けられ、前記レンズを介して拡散した前記ＬＥＤ素子からの発光を反射および拡散させる反射拡散部材とを備え、この反射拡散部材を、反射拡散した光が前記筐体の開口部から外部に向って集束する状態で放出される設定としたことを特徴とする照明装置。
【請求項４】
一側面に開口部を形成した筐体と、この筐体内の前記開口部に隣接する側面に設けられた複数のＬＥＤ素子と、この各ＬＥＤ素子から発する光を拡散させるレンズと、前記筐体の内方に前記開口部および前記各ＬＥＤ素子と対向して設けられ、前記レンズを介して拡散した前記ＬＥＤ素子からの発光を反射および拡散させる反射拡散部材とを備え、この反射拡散部材を、反射拡散した光が前記筐体の開口部から外部に向って拡散する状態で放出される設定としたことを特徴とする照明装置。
【請求項５】
前記筐体の開口部に、透明または半透明の部材からなるレンズまたはカバーを設けた請求項１乃至４のいずれかに記載の照明器具。
【請求項６】
前記各ＬＥＤ光源を、前記筐体に着脱可能なユニットとして構成した請求項１乃至５のいずれかに記載の照明器具。
【請求項７】
前記筐体の開口部および前記各ＬＥＤ光源のユニットを、円形またはアレイ状に構成した請求項１乃至６のいずれかに記載の照明器具。
【発明の詳細な説明】
【技術分野】
【０００１】
本発明は、ＬＥＤ（発光ダイオード）を光源とする照明装置に係り、特に家庭用灯具、店舗用灯具、非常灯、街灯、装飾用灯具その他各種灯具として適用される照明装置に関する。
【背景技術】
【０００２】
従来、この種の照明装置としては一般に蛍光灯、白熱電灯等が多用されているが、電力消費が多大であるとともに、光源の耐用寿命が短い等の難点がある。
【０００３】
これに対し、近年開発されたＬＥＤを光源とする照明装置は、消費電力が少なく、かつ耐用寿命が長い特徴があり、省エネルギ化および低コストの観点から各種照明装置への適用が図れられている（例えば、特許文献１、２参照）。
【０００４】
これらの技術では、従来の電球等のフィラメント等に対応する部位に、複数のＬＥＤ素子を外向きに配置し、効率よく光を放出させる構成となっている。しかし、ＬＥＤ素子からの発光は紡錘状の狭域照射光であるため、複数のＬＥＤ素子からの発光を直接光として適用した場合には点光源となり、光源間の境界域が暗部となって所謂光学斑が発生し、白熱球または蛍光灯のような均一的な照明効果を得ることが困難である。
【０００５】
これに対し、例えば車両用灯具の分野では、複数のＬＥＤ素子を所定角度で向き合わせて発光を集束させたり、拡散レンズによって光を分散させたり、凹面鏡によって光を反射拡散させる等の手段により、光学斑を除去する技術が提案されている（例えば、特許文献３、４，５等参照）。
【特許文献１】特開２００２−３０４９０３号公報
【特許文献２】特開２００３−２８１９２５号公報
【特許文献３】特開２００１−３３２１０４号公報
【特許文献４】特開２００２−１００２１７号公報
【特許文献５】特開２００４−５５４８２号公報
【発明の開示】
【発明が解決しようとする課題】
【０００６】
ところが、上述したＬＥＤ光の発光集束、拡散レンズによる分散、あるいは凹面鏡による光の反射拡散技術においては、高輝度のＬＥＤ素子を使用して光源の直近で集束、分散、反射等を行っており、極めて強烈な光を発する構成となっている。このため、例えば家庭用灯具、店舗用灯具、非常灯、街灯、装飾用灯具その他各種灯具として適用される柔らかな光で目に優しく、かつ省エネルギ化、高効率化等を向上させる技術としては適していない。
【０００７】
本発明は、このような事情に鑑みてなされたもので、ＬＥＤ光の集束、拡散および反射を効率よく行わせ、光学斑の除去、光の柔らかさ、省エネルギ化、高効率化等をより一層高め、家庭用灯具、店舗用灯具、非常灯、街灯、装飾用灯具その他各種灯具として極めて有効な照明装置を提供することを目的とする。
【０００８】
また、本発明はＬＥＤを用いて、より均一な光を作り出し、しかも安全かつ経済的で、光源寿命の長期化が図れ、さらに光源ユニットの交換等も容易に行える照明装置を提供することを目的とする。
【課題を解決するための手段】
【０００９】
前記の目的を達成するために、請求項１に係る発明では、一側面に開口部を形成した筐体と、この筐体内の前記開口部周囲に設けられた複数のＬＥＤ素子と、この各ＬＥＤ素子から発する光を前記筐体の内方に向けて拡散させるレンズと、前記筐体の内方に設けられ、前記レンズを介して拡散した前記ＬＥＤ素子からの発光を反射および拡散させる湾曲板状の反射拡散部材と、この反射拡散部材の曲率中心付近から前記開口部まで連通する胴状の光通路形成部材とを備え、前記反射拡散部材の曲率を、反射拡散した光が前記光通路形成部材の中心軸上の１点に集束する設定とし、この１点に集束した光を前記光通路形成部材内の空間を経て前記筐体の開口部から外部に放出させる構成としたことを特徴とする照明装置を提供する。
【００１０】
請求項２に係る発明では、一側面に開口部を形成した筐体と、この筐体内の前記開口部に隣接する側面に互いに対向する配置で設けられた複数のＬＥＤ素子と、この各ＬＥＤ素子から発する光を拡散させるレンズと、前記筐体の内方に前記開口部と対向して設けられ、前記レンズを介して拡散した前記ＬＥＤ素子からの発光を反射および拡散させる反射拡散部材と、この反射拡散部材から前記開口部まで連通する胴状の光通路形成部材とを備え、前記各ＬＥＤ素子の配置を、互いに対向するもの同士から発する光が前記光通路形成部材の中心軸上の複数点に集束する設定とし、この各点に集束した光を前記光通路形成部材内の空間を経て前記筐体の開口部から外部に放出させる構成としたことを特徴とする照明装置を提供する。
【００１１】
請求項３に係る発明では、一側面に開口部を形成した筐体と、この筐体内の前記開口部に隣接する側面に設けられた複数のＬＥＤ素子と、この各ＬＥＤ素子から発する光を拡散させるレンズと、前記筐体の内方に前記開口部および前記各ＬＥＤ素子と対向して設けられ、前記レンズを介して拡散した前記ＬＥＤ素子からの発光を反射および拡散させる反射拡散部材とを備え、この反射拡散部材を、反射拡散した光が前記筐体の開口部から外部に向って集束する状態で放出される設定としたことを特徴とする照明装置を提供する。
【００１２】
請求項４に係る発明では、一側面に開口部を形成した筐体と、この筐体内の前記開口部に隣接する側面に設けられた複数のＬＥＤ素子と、この各ＬＥＤ素子から発する光を拡散させるレンズと、前記筐体の内方に前記開口部および前記各ＬＥＤ素子と対向して設けられ、前記レンズを介して拡散した前記ＬＥＤ素子からの発光を反射および拡散させる反射拡散部材とを備え、この反射拡散部材を、反射拡散した光が前記筐体の開口部から外部に向って拡散する状態で放出される設定としたことを特徴とする照明装置を提供する。
【００１３】
請求項５に係る発明では、前記筐体の開口部に、透明または半透明の部材からなるレンズまたはカバーを設けた請求項１乃至４のいずれかに記載の照明器具を提供する。
【００１４】
請求項６に係る発明では、前記各ＬＥＤ光源を、前記筐体に着脱可能なユニットとして構成した請求項１乃至５のいずれかに記載の照明器具を提供する。
【００１５】
請求項７に係る発明では、前記筐体の開口部および前記各ＬＥＤ光源のユニットを、円形またはアレイ状に構成した請求項１乃至６のいずれかに記載の照明器具を提供する。
【発明の効果】
【００１６】
本発明によれば、筐体の内部に設けた複数のＬＥＤ素子の発光を、レンズにより第１段階として拡散させた後、反射拡散部材によって第２段階の反射拡散を行わせ、光通路形成部材の中心軸上の１点または複数点等にて集束させて光エネルギを十分に筐体内に蓄えた後、さらに光通路形成部材内の空間を経て効率よく筐体の開口部から外部に放出させる構成とすることにより、ＬＥＤ光源からの光学斑が全くなく、しかも光の柔らかさ、省エネルギ化、高効率化をより一層高めることができる。
【００１７】
また、ＬＥＤを用いて、より均一な光を作り出し、しかも安全かつ経済的で、光源寿命の長期化が図れ、さらに光源ユニットの交換等も容易に行える。
【００１８】
したがって、家庭用灯具、店舗用灯具、非常灯、街灯、装飾用灯具その他各種灯具として極めて有効な照明装置を提供することができる。
【発明を実施するための最良の形態】
【００１９】
以下、本発明に係る照明装置の実施形態について、図面を参照して説明する。なお、以下の説明では、家庭用天井照明器具として適用した場合を説明するが、大きさ、向き、形状等を種々変更して、他の照明器具、例えば店舗用灯具、非常灯、街灯、装飾用灯具その他各種灯具として適用することができる。
【００２０】
［第１実施形態（図１〜図３）］
図１は、本発明に係る照明装置の第１実施形態を示す縦断面図であり、図２は同照明装置の構成部材をユニット毎に示す分解図である。図３はＬＥＤ電源ユニットの構成を示す平面図である。
【００２１】
図１および図２に示すように、本実施形態の照明装置１（１ａ）は、大別して、筐体２、電源回路ユニット３、反射拡散ユニット４、ＬＥＤ電源ユニット５、光放出用拡散ユニット６等から構成される。
【００２２】
筐体２は、電源回路ユニット３、反射拡散ユニット４、ＬＥＤ電源ユニット５および光放出用拡散ユニット６を組み込むための本体として構成されており、例えば水平円板状の天壁２ａと、この天壁２ａの周縁部から垂下する短円筒状の周壁２ｂとを有する。
【００２３】
天壁２ａの中心位置には、電源回路ユニット装着用の貫通孔７が穿設されている。また、筐体２の下面（一側面）は、全体的に開口しており、この開口が、後述するように、反射拡散ユニット４の光通路形成部材１５の組み込みにより、小径な開口部３０として形成される。
【００２４】
電源回路ユニット３は、筐体２の天壁２ａの内面（下面）に平行に（水平に）嵌合される電源回路基板８と、この電源回路基板８の下面側に装着されたトランスその他の電源回路部品９と、電源回路基板８の上面側に装着された電源端子１０とを備えている。この電源端子１０が、筐体２の天壁２ａに設けた貫通孔７に嵌合固定される。なお、図示の例では電源端子１０を差込用プラグ型として示したが、家庭用ソケット等に螺合するネジ型としてもよい（図示省略）。
【００２５】
また、電源回路基板８の端部には、接続端子（例えば雌型コネクタ）１１（１１ａ）が電源配線１２により垂下接続されている。これらの部品からなる電源回路ユニット３が、図示省略のネジその他の固定具により筐体２に着脱可能に固定される。
【００２６】
反射拡散ユニット４は、筐体２の周壁２ｂの下端に接合されるリング状の基部１３と、この基部１３の上端縁に一体に連設された湾曲板状の反射拡散部材１４（１４ａ）と、この反射拡散部材１４の中心部下方に位置して、基部１３に図示省略のアームにより連設された胴状の光通路形成部材１５とからなっている。
【００２７】
反射拡散部材１４は、下向き凹形の半球状をなし、その凹面（下面）が鏡面、または明彩色（例えば白色、その他の淡色等）に着色された一定以上の表面仕上げ粗さを有する面、例えば高精度加工面とされている。光通路形成部材１５は、上下面が開口した縦型円筒状のものであり、その内周面が反射拡散部材１４の下面と同様に、鏡面、または明彩色に着色された一定以上の表面粗さを有する高精度加工面とされている。
【００２８】
これらの部品からなる反射拡散ユニット４も、上述した電源回路ユニット３と同様に、図示省略のネジその他の固定具により筐体２に着脱可能に組立て固定される。なお、この反射拡散ユニット４のリング状基部１３は、筐体２の周壁２ｂの下端部に接合されて、外面的に筐体２の一部を構成する。
【００２９】
ＬＥＤ電源ユニット５は、図３（平面図）にも示したように、反射拡散ユニット４の下部内周位置に密着して組立てられるリング状のものとして構成されている。すなわち、ＬＥＤ電源ユニット５は、外周側リング壁１６および内周側リング壁１７およびこれらの下端部を連結する底壁により構成されるチャンネル形の周枠部材と、この周枠部材のチャンネル溝内に設けられたディスク状のＬＥＤ基板１８と、ＬＥＤ基板１８上に必要照度に対応して所定ピッチでリング状に配列された複数のＬＥＤ素子１９と、これらの各ＬＥＤ素子１９をそれぞれ覆う光拡散用のレンズ（第１レンズ）２０と、電源回路基板８の接続端子１１ａに結合される接続端子（例えば雄型コネクタ）１１ｂとを備えている。
【００３０】
外周側リング壁１６の外面側は、反射拡散ユニット４における基部１３の内周面に、上下高さを一致させる状態で密接固定される。また、内周側リング壁１７の上端は、反射拡散ユニット４における光通路形成部材１５の下端に接して、平面視円形状の光通路を形成する光通路形成部材１５の一部となる。そして、このように構成される光通路形成部材１５の内径断面積が、本発明の開口部３０の断面積となる。
【００３１】
雄型コネクタである接続端子１１ｂは、電源回路基板８の雌型コネクタである接続端子１１ａに結合される。これにより、照明装置１としての電源回路が形成され、電源端子１０を介して図示しない電源からの電流供給が可能となり、各ＬＥＤ素子１９による発光が可能となる。
【００３２】
各ＬＥＤ素子１９は、発光面を上向きとして設定されており、各ＬＥＤ素子１９の組合せによりＬＥＤ光源を構成する。そして、この各ＬＥＤ素子１９から上向きに発する光Ｌ１は、第１レンズ２０によって反射拡散部材１４の内面に向い、筐体２の内径側、外径側および周方向等に拡散する。この光の挙動については、後に詳しく説明する。
【００３３】
光放出用拡散ユニット６は、例えば凹レンズからなるカバーとして構成されている。例えば、ＬＥＤ電源ユニット５の下部に連結される外周側の一定半径部分は一定厚さの平坦部２１とされ、光が放出される開口部３０に対応する部分は、凹レンズ（第２レンズ）２２として構成されている。この第２レンズの部分において、筐体２の内方から放出される光を拡散することができる。
【００３４】
なお、ＬＥＤ電源ユニット５および光放出用拡散ユニット６も、上述した反射拡散ユニット４および電源回路ユニット３と同様に、図示省略のネジその他の固定具により筐体２に着脱可能に組立て固定される。
【００３５】
次に、光の挙動およびそのための光学的構成の詳細について図１を参照して説明する。
【００３６】
上述した各ユニットの組立て構成により、本実施形態の照明装置１（１ａ）は、一側面（下面）に開口部３０を形成した筐体２と、この筐体１内における開口部３０周囲に設けられた複数のＬＥＤ素子１９と、この各ＬＥＤ素子１９から発する光Ｌ１を筐体２の内方に向けて拡散させる第１レンズ２０と、筐体２の内方に設けられ、第１レンズ２０を介して拡散した各ＬＥＤ素子１９からの発光を反射および拡散させる湾曲板状の反射拡散部材１４と、この反射拡散部材１４の曲率中心付近から開口部３０まで連通する胴状の光通路形成部材１５（１３を含む。以下、同様）と、第２レンズ２２とを備えた構成とされている。
【００３７】
このような構成のもとで、反射拡散部材１４の曲率は、反射拡散した光Ｌ２が光通路形成部材１５の中心軸上の１つの点Ｏ（以下、「集束点」とい。）に集束する設定とされている。そして、この１つの集束点Ｏに集束した後の光Ｌ３が、光通路形成部材１５内の空間を経て筐体２の開口部３０から外部に放出される構成となっている。
【００３８】
すなわち、本実施形態の照明装置１では、ＬＥＤ電源ユニット５から各ＬＥＤ素子１９への電流供給により、各ＬＥＤ素子１９からの発光が行われる。この場合、各ＬＥＤ素子１９が、筐体２の開口部３０の周囲に配置され、かつ光通路形成部材１５によって開口部３０から隔離されているので、各ＬＥＤ素子１９から発した光Ｌ１は、第１レンズ２０により上方に向って拡散される。拡散方向は、第１レンズ２０の形状、種類により種々設定することができる。本実施形態では、上述のように、筐体２内における径方向および周方向に向って光Ｌ１が拡散する。
【００３９】
次に、光Ｌ１は、下向き半球面状をなす凹形の反射拡散部材１４に達し、第１レンズ２０からの各光Ｌ１の向きに対応して多方向に反射し、第２段の反射拡散光Ｌ２となる。本実施形態では、反射拡散部材１４の曲率により、光通路形成部材１５の中心軸上における筐体２の内方位置である１つの集束点Ｏに光Ｌ２が集束する設定とされているので、最終的に、この集束点Ｏに多くの光Ｌ２が集束する。
【００４０】
そして、集束点Ｏに集束した後の光Ｌ３は、反射拡散部材１４および光通路形成部材１５によって囲まれる筐体２内の閉塞空間内に充満し、高エネルギ化するとともに、各ＬＥＤ素子１９の点光源の形状は消失する。これにより、柔らかで、かつ光学斑のない光Ｌ３となり、光通路形成部材１５を介して、下方向に向かい、開口部３０における第２レンズ２２を通過して、外部に放出される。
【００４１】
この場合、本実施形態では、第２レンズ２２が凹レンズとして構成されており、上記の集束点Ｏは光通路形成部材１５の中心軸上にあるので、集束点Ｏからの光Ｌ３は下方に向って放出され、また集束点Ｏから外れた光Ｌ３も、凹レンズの作用によって屈折し、結果的に殆どの光Ｌ３が、下方に向って平行に放出される。
【００４２】
以上の作用により、本実施形態によれば、筐体２の内部に設けた複数のＬＥＤ素子１９の発光を、第１レンズ２０により第１段階として拡散させた後、反射拡散部材１４によって第２段階の反射拡散を行わせ、光通路形成部材１５の中心軸上の１つの集束点Ｏにて集束させて光エネルギを十分に筐体２内に蓄えた後、さらに光通路形成部材１５内の空間を経て効率よく開口部３０から外部に放出させることができる。したがって、ＬＥＤ素子１９からの光学斑が全くなく、しかも光の柔かさ、省エネルギ化、高効率化をより一層高めることができる。
【００４３】
また、本実施形態では、筐体２、電源回路ユニット３、反射拡散ユニット４、ＬＥＤ電源ユニット５、光放出用拡散ユニット６等により、これらの各ユニットを着脱可能に構成したので、組立て分解等が容易に行える。しかも、ＬＥＤ素子１９を用いた場合には、従来の光源に比して耐用寿命が長いうえ、発熱がないため、ＬＥＤ電源ユニット５を交換する回数も減少できるとともに、交換が必要な場合にも火傷の恐れ等なく安全、容易に、かつ経済的に行うことができる。
【００４４】
なお、以上の第１実施形態においては、ＬＥＤ素子１９以外の各部材内面、例えば光通路形成部材１５の内周面、および第１レンズ２０の内面側等を、明彩色（純白等）にすることが、光効率向上および柔らかい光を得る等の観点から望ましい。
【００４５】
また、本実施形態では、光放出用拡散ユニット６としての第２レンズ２２を開口部３０に装着する構成としたことにより、照明装置１のカバーとして内部機器の保護機能を高める効果も得られる。なお、カバー部材としての光放出用拡散ユニット６は、透明または半透明の部材からなるものとしてもよい。また、図示しないが光放出用拡散ユニットに凹凸その他の各種形状、着色等を施すことにより、装飾光を発するものとして、装飾用照明等に適用することもできる。
【００４６】
［第２実施形態（図４）］
図４は、本発明に係る照明装置の第２実施形態を示す縦断面図である。なお、第１実施形態と対応する構成部分には、図４に図１と同一の符号を付して説明し、第１実施形態と同一構成部分については、説明を省略する。
【００４７】
本実施形態の照明装置１（１ｂ）は、ＬＥＤ素子１９を筐体２内で対向配置させ、ＬＥＤ素子１９から発する光Ｌ１を複数の集束点Ｏ１、Ｏ２、Ｏ３…に集束させるようにしたものである。
【００４８】
すなわち、本実施形態の照明装置１も第１実施形態と同様に、筐体２、電源回路ユニット３、反射拡散ユニット４、ＬＥＤ電源ユニット５、光放出用拡散ユニット６等から構成される。
【００４９】
筐体２の一側面（下面）には開口部３０が形成され、この筐体２内の開口部３０に隣接する周囲の側面には、互いに対向する配置でＬＥＤ電源ユニット５の複数のＬＥＤ素子１９が設けられるとともに、各ＬＥＤ素子１９から発する光を拡散させる第１レンズ２０が備えられている。
【００５０】
筐体２の内方には開口部３０と対向する配置で、水平板状の反射拡散部材１４（１４ｂ）が設けられ、第１レンズ２０を介して拡散したＬＥＤ素子１９からの上向きに発せられる光（図示省略。図１におけるＬ２参照。）を下方に向う各種角度で反射および拡散させるようになっている。
【００５１】
反射拡散部材１４の下方には、この反射拡散部材から開口部３０まで連通する縦軸胴状の光通路形成部材１５が設けられ、この光通路形成部材１５にはＬＥＤ素子１９からの光Ｌ１を通過させる孔２３が開口している。
【００５２】
このような構成において、各ＬＥＤ素子１９の配置については、互いに対向するもの同士から発する光Ｌ１が光通路形成部材１５の中心軸上の複数の集束点Ｏ１、Ｏ２、Ｏ３…に集束する設定とし、この各集束点に集束した光Ｌ３が、光通路形成部材１５内の空間を経て筐体の開口部３０から外部に放出させる構成となっている。
【００５３】
このような構成の第２実施形態においても、第１実施形態と同様に、ＬＥＤ素子１９から発した光Ｌ１は、第１レンズ２０により対向する方向に向って拡散放出され、その光Ｌ１は、互いに集束点Ｏ１、Ｏ２、Ｏ３…で集束し、集束した後の光Ｌ３は、反射拡散部材１４および光通路形成部材１５によって囲まれる筐体２内の閉塞空間内に充満し、高エネルギ化するとともに、各ＬＥＤ素子１９の点光源の形状は消失する。
【００５４】
そして、柔らかで、かつ光学斑のない光Ｌ３となり、光通路形成部材１５を介して、下方向に向かい、開口部３０における第２レンズ２２を通過して、外部に放出される。
【００５５】
この場合、本実施形態でも、第２レンズ２２が凹レンズとして構成されており、上記のＯ１、Ｏ２、Ｏ３…は光通路形成部材１５の中心軸上にあるので、これらのＯ１、Ｏ２、Ｏ３…からの光Ｌ３は凹レンズの作用によって屈折し、下方に向って放射状に放出される。
【００５６】
以上の作用により、本実施形態によっても、筐体２の内部に設けた複数のＬＥＤ素子１９の発光Ｌ１を、第１レンズ２０により第１段階として拡散させた後、互いに衝突する形で集束させるとともに、反射拡散部材１４によって第２段階の反射拡散を行わせ、光通路形成部材１５の中心軸上のＯ１、Ｏ２、Ｏ３…にて集束させて光エネルギを十分に筐体２内に蓄えた後、さらに光通路形成部材１５内の空間を経て効率よく開口部３０から外部に放出させることができる。したがって、ＬＥＤ素子１９からの光学斑が全くなく、しかも光の柔かさ、省エネルギ化、高効率化をより一層高めることができる。
【００５７】
なお、本実施形態においても、第１実施形態と同様に、筐体２、電源回路ユニット３、反射拡散ユニット４、ＬＥＤ電源ユニット５、光放出用拡散ユニット６等により、これらの各ユニットを着脱可能に構成したので、組立て分解等が容易に行え、ＬＥＤ素子１９を用いたことにより、従来の光源に比して耐用寿命が長いうえ、発熱がなく、ＬＥＤ電源ユニット５を交換する回数も減少できるとともに、交換が必要な場合にも火傷の恐れ等なく安全、容易に、かつ経済的に行うことができる等の効果が奏される。
【００５８】
［第３実施形態（図５〜図７）］
本実施形態は、アレイ型の照明装置として好適な構成例についてのものである。図５は、第１の構成例を示す縦断面図であり、図６は、第２の構成例を示す縦断面図である。図７は、これらの照明装置に適用するＬＥＤ電源ユニット５の構成を示す平面図である。なお、第１実施形態または第２実施形態と対応する構成部分には、図５に図１、図４等と同一の符号を付して説明し、第１、第２実施形態と同様の構成部分については、説明を省略する。
【００５９】
まず、図５および図７を参照して、第１構成例を説明する。この照明装置１（１ｃ）は、図５の紙面表裏方向に所定長さを有するアレイ状として構成されている。
【００６０】
すなわち、本実施形態の照明装置１も、筐体２、電源回路ユニット３、反射拡散ユニット４、ＬＥＤ電源ユニット５、光放出用拡散ユニット６等から構成される点では前記各実施形態と同様であるが、筐体２の一側面（下面）にアレイ状の開口部３０が形成され、この筐体２内の開口部３０に隣接する他側面（縦側面）に、図５および図７に示すように、ＬＥＤ素子１９が配置されている。なお、各ＬＥＤ素子１９の先端側には、光Ｌ１を拡散させる前記同様の第１レンズ２０が設けられている。
【００６１】
また、筐体２の内方には、開口部３０および各ＬＥＤ素子１９と対向して反射拡散部材１４（１４ｃ）が設けられている。この反射拡散部材１４は断面四半円弧状の凹面を有し、第１レンズ２０を介して側方に向けて拡散したＬＥＤ素子１９からの光Ｌ１を、下方に向けて反射および拡散させるようになっている。
【００６２】
そして、反射拡散部材１４には、反射拡散した光Ｌ３が、筐体２の開口部３０から外部下方に向って集束する状態で放出される設定がされている。すなわち、本実施形態では、反射拡散部材１４が光通路形成部材を兼ねた構成となっている。
【００６３】
また、本実施形態では、光放出用拡散ユニット６が、例えば平坦なカバーとして構成されている。
【００６４】
このような構成によっても、筐体２の内部に設けた複数のＬＥＤ素子１９の発光を、第１レンズ２０により第１段階として拡散させた後、反射拡散部材１４によって第２段階の反射拡散を行わせて光エネルギを十分に筐体内に蓄えた後、筐体２の開口部３０から外部に向けて集束させる状態で放出させることができ、従来の蛍光灯のようなアレイ型照明装置として適用することができる。そして、この構成例によっても、ＬＥＤ光源からの光学斑が全くなく、しかも光の柔らかさ、省エネルギ化、高効率化をより一層高めることができる。また、ＬＥＤを用いて、より均一な光を作り出し、しかも安全かつ経済的で、光源寿命の長期化が図れ、さらに光源ユニットの交換等も容易に行える。
【００６５】
次に、図６および図７を参照して、本実施形態の第２構成例を説明する。この照明装置１（１ｄ）は、図６の紙面表裏方向に所定長さを有するアレイ状として構成されている点で第１構成例と同様である。
【００６６】
この第２構成例が第１構成例と異なる点は、反射拡散部材１４（１４ｄ）が平板状に構成され、反射拡散した光Ｌ３が筐体２の開口部３０から外部に向って拡散する状態で放出される設定としたことにある。他の構成は図５に示した第１構成例と同様である。
【００６７】
このような構成によると、筐体２の内部に設けた複数のＬＥＤ素子１９の発光を、第１レンズ２０により第１段階として拡散させた後、反射拡散部材１４によって第２段階の反射拡散を行わせて光エネルギを十分に筐体内に蓄えた後、筐体２の開口部３０から外部に向けて拡散させる状態で放出させることができ、従来の蛍光灯のようなアレイ型照明装置として適用することができる。
【００６８】
［他の実施形態］
以上の各実施形態のほか、本発明では種々の変形、応用等が可能である。
【００６９】
例えば、カバー部材若しくは第２レンズとして、各種形状を施すことにより照明光をデザインすることが可能となる。
【００７０】
また、第２レンズを透過した光でスポット光を形成させたり、または第２レンズにカット（ダイヤモンドカット、多面体）を施し、出射光を乱反射させることができる。
【００７１】
また、電源端子の形状違いにより、対応の商品への展開を図ることができる。
【００７２】
また、第２レンズとしてのカバーに加工を施し、例えば『非常口』等の案内に用いることができる。
【図面の簡単な説明】
【００７３】
【図１】本発明に係る照明装置の第１実施形態を示す縦断面図。
【図２】前記第１実施形態の構成部材をユニット毎に示す分解図。
【図３】前記第１実施形態におけるＬＥＤユニットの構成を示す平面図。
【図４】本発明に係る照明装置の第２実施形態を示す縦断面図。
【図５】本発明に係る照明装置の第３実施形態の第１構成例を示す縦断面図。
【図６】本発明に係る照明装置の第３実施形態の第２構成例を示す縦断面図。
【図７】前記第３実施形態におけるＬＥＤユニットの構成を示す平面図。
【符号の説明】
【００７４】
１  照明装置
２  筐体
３  電源回路ユニット
４  反射拡散ユニット
５  ＬＥＤ電源ユニット
６  光放出用拡散ユニット
７  貫通孔
８  電源回路基板
９  電源回路部品
１０  電源端子
１１  接続端子
１２  電源配線
１３  基部
１４  反射拡散部材
１５  光通路形成部材
１６  外周側リング壁
１７  内周側リング壁
１８  ＬＥＤ基板
１９  ＬＥＤ素子
２０  レンズ（第１レンズ）
２１  平坦部
２２  凹レンズ（第２レンズ）
３０  開口部
【図１】
2006019160.tif 000003
【図２】
2006019160.tif 000004
【図３】
2006019160.tif 000005
【図４】
2006019160.tif 000006
【図５】
2006019160.tif 000007
【図６】
2006019160.tif 000008
【図７】
2006019160.tif 000009